(57)【特許請求の範囲】
【請求項１】
任意の通信装置からの発信に対し、通信回線を通じて着信側通信装置に情報受信端末起動信号を送信し、着信側通信装置からの応答信号を受けて発信側通信装置の情報を送信し、その後の前記着信側通信装置からの受信完了信号を受けて呼出信号を送信するといった通信前情報通知機能を有する加入者線交換機に接続される通信装置であって、
前記情報受信端末起動信号を受信することによって前記加入者線交換機との間の回線を接続し、その後に送信されてくる前記発信側通信装置の情報を受信した後、回線を一旦切断するといった通信前の接続動作を制御する接続制御部と、
受信した発信側通信装置の回線番号の情報を記憶する第１の記憶部と、
短縮番号の登録時に、この短縮番号に対応させて発信側通信装置の回線番号の情報とその回線番号から送信されてくる用件メッセージの録音領域を指定する指定情報とを、任意の数の発信側通信装置分記憶する第２の記憶部と、
この第２の記憶部に記憶されている指定情報に対応した録音領域及び指定情報に対応していないその他の録音領域を有する用件メッセージ録音部と、
前記接続制御部によって前記加入者線交換機との間の回線を一旦切断した後、前記加入者交換機から送信されてくる呼出信号に応答して用件録音モードを実行するとき、前記第１の記憶部に記憶された回線番号の情報に基づいて前記第２の記憶部に記憶されている回線番号の情報を検索して一致する回線番号があるか否かを判断し、一致する回線番号がある場合にはその一致する回線番号の情報に付与されている指定情報に基づいて前記用件メッセージ録音部の対応する録音領域を指定する一方、一致する回線番号がない場合には前記用件メッセージ録音部のその他の録音領域を指定し、その後に前記加入者線交換機から送信されてくる用件メッセージをその指定した録音領域に録音する録音制御部と、
用件再生モード時、任意の短縮番号を入力することにより、その短縮番号に対応する指定情報を前記第２の記憶部から読み出し、その読み出した指定情報に対応した録音領域に録音されている用件メッセージを前記用件メッセージ録音部から再生して出力するとともに、既存の「♯」ボタンを連続して２回操作することにより、その他の録音領域に録音されている用件メッセージを前記用件メッセージ録音部から再生して出力する再生制御部とを備えたことを特徴とする用件録音機能を有する通信装置。
【請求項２】
前記再生制御部は、用件再生モード時、暗証番号の入力と任意の短縮番号の入力とに基づき、暗証番号の一致を確認した後、その短縮番号に対応する指定情報を前記第２の記憶部から読み出し、その読み出した指定情報に対応した録音領域に録音されている用件メッセージを前記用件メッセージ録音部から再生して出力することを特徴とする請求項１に記載の用件録音機能を有する通信装置。
【発明の詳細な説明】
【０００１】
【発明の属する技術分野】
本発明は、通信前情報通知機能を有する加入者線交換機に接続される通信装置に係り、より詳細には、発信側通信装置の情報を通信前（例えば、通信装置の受話器を取る前）に、その通信装置の使用者に知らせるようにした情報受信機能を有する通信装置（電話機やファクシミリ装置などの通信装置）に関する。
【０００２】
【従来の技術】
従来より、留守録モードに設定されているときに、相手側通信装置から送信されてくる用件メッセージを例えば個人別に録音する録音機能を有する通信装置が種々提案されている。
例えば、実開平３−２７１５９号公報に記載された留守番電話機は、複数の暗証番号が予め登録されている暗証番号登録部と、複数の暗証番号に対応して個別に音声を蓄積する個別音声蓄積部とを備え、回線からの受信暗証番号と暗証番号登録部の登録暗証番号とを比較し、該当する暗証番号に対応する個別音声蓄積部の個別音声部に受信音声（用件メッセージ）を蓄積する構成となっている。
【０００３】
また、特開平６−２６８７３０号公報に記載されている留守番電話機（簡易伝言板）は、伝言録音用の暗証番号を登録するテーブルと、伝言再生用の暗証番号を登録するテーブルと、伝言情報を格納する個別伝言録音エリアを有する個別伝言録音メモリ部とを備え、伝言登録時、回線からの伝言録音用暗証番号に基づいて、個別伝言録音メモリ部の該当する個別伝言録音エリアに伝言（用件メッセージ）を録音する構成となっている。
【０００４】
【発明が解決しようとする課題】
このように、回線から送信されてくる用件メッセージを個別に録音するものは、従来から種々提案されている。
しかしながら、いずれの留守番電話機も、用件メッセージを個別に録音するためには、相手側通信装置の使用者が、それぞれに対応した暗証番号を入力しなければならないといった問題があった。つまり、相手側通信装置の使用者が暗証番号を知らなかったり、忘れたりした場合には、用件メッセージを個別に録音することができないといった問題があった。
【０００５】
ところで、現在、通信前情報通知サービスが提供されている。通信前情報通知サービスとは、任意の通信装置からの発信に対し、通信回線を通じて着信側通信装置に情報受信端末起動信号を送信し、着信側通信装置からの応答信号を受けて発信側通信装置の情報を送信し、その後の着信側通信装置からの受信完了信号を受けて呼出信号を送信するといった処理を、加入者線交換機において行うサービスである。
【０００６】
本発明は、このような通信前情報通知サービスに着目し、これを有効に利用した用件録音機能を有する通信装置を提供するものである。
すなわち、通信回線を介して加入者線交換機に接続された従来の通信装置（特に、電話装置）では、着信があった場合、受話器を取る前に（すなわち、交換機を通じて発信側通信装置と回線を接続する前に）、電話をかけてきた相手が誰であるかを知ることができなかった。しかしながら、この通信前情報通知サービスでは、受話器を取る前に、かかってきた電話の相手が誰であるのか（すなわち、加入者の中の誰宛であるのか）を知ることができるので、この情報を利用して、加入者の利便性の向上を図るものである。
【０００７】
【課題を解決するための手段】
上記の目的を達成するため、本発明の請求項１に記載の用件録音機能を有する通信装置は、任意の通信装置からの発信に対し、通信回線を通じて着信側通信装置に情報受信端末起動信号を送信し、着信側通信装置からの応答信号を受けて発信側通信装置の情報を送信し、その後の前記着信側通信装置からの受信完了信号を受けて呼出信号を送信するといった通信前情報通知機能を有する加入者線交換機に接続される通信装置であって、前記情報受信端末起動信号を受信することによって前記加入者線交換機との間の回線を接続し、その後に送信されてくる前記発信側通信装置の情報を受信した後、回線を一旦切断するといった通信前の接続動作を制御する接続制御部と、受信した発信側通信装置の回線番号の情報を記憶する第１の記憶部と、短縮番号の登録時に、この短縮番号に対応させて発信側通信装置の回線番号の情報とその回線番号から送信されてくる用件メッセージの録音領域を指定する指定情報とを、任意の数の発信側通信装置分記憶する第２の記憶部と、この第２の記憶部に記憶されている指定情報に対応した録音領域及び指定情報に対応していないその他の録音領域を有する用件メッセージ録音部と、前記接続制御部によって前記加入者線交換機との間の回線を一旦切断した後、前記加入者交換機から送信されてくる呼出信号に応答して用件録音モードを実行するとき、前記第１の記憶部に記憶された回線番号の情報に基づいて前記第２の記憶部に記憶されている回線番号の情報を検索して一致する回線番号があるか否かを判断し、一致する回線番号がある場合にはその一致する回線番号の情報に付与されている指定情報に基づいて前記用件メッセージ録音部の対応する録音領域を指定する一方、一致する回線番号がない場合には前記用件メッセージ録音部のその他の録音領域を指定し、その後に前記加入者線交換機から送信されてくる用件メッセージをその指定した録音領域に録音する録音制御部と、用件再生モード時、任意の短縮番号を入力することにより、その短縮番号に対応する指定情報を前記第２の記憶部から読み出し、その読み出した指定情報に対応した録音領域に録音されている用件メッセージを前記用件メッセージ録音部から再生して出力するとともに、既存の「♯」ボタンを連続して２回操作することにより、その他の録音領域に録音されている用件メッセージを前記用件メッセージ録音部から再生して出力する再生制御部とを備えた構成とする。
【０００８】
また、本発明の請求項２に記載の用件録音機能を有する通信装置は、請求項１に記載のものにおいて、再生制御部は、用件再生モード時、暗証番号の入力と任意の短縮番号の入力とに基づき、暗証番号の一致を確認した後、その短縮番号に対応する指定情報を第２の記憶部から読み出し、その読み出した指定情報に対応した録音領域に録音されている用件メッセージを用件メッセージ録音部から再生して出力する構成とする。
【０００９】
【発明の実施の形態】
以下、本発明の実施の形態について図面を参照して説明する。
図１は、本発明の用件録音機能を有する通信装置の電気的構成を示すブロック図である。この種の通信装置には、従来の電話機に情報受信アダプタを接続した構成のものと、情報受信アダプタを内蔵した構成の情報受信電話機とがあるが、本実施の形態では、情報受信アダプタを内蔵した（一体的に組み込んだ）情報受信電話機を例に挙げて説明する。
【００１０】
図において、加入者線交換機（以下、ディジタル交換機という）２０に接続された通信回線１には、フックスイッチ２を介してスピーチネットワーク回路３、装置全体の動作制御を行う制御部９、及びディジタル交換機２０から送信されてくる発信側通信装置の情報（具体的には、回線番号）を検出する情報検出回路１０がそれぞれ接続されている。
【００１１】
また、スピーチネットワーク回路３には、受話器に内蔵されたマイク５とイヤピース６とがそれぞれ接続された通話回路４と、留守録モード時の着信に対して応答メッセージを送出する応答メッセージ送出回路１１と、通信回線１を通じて送られてくる用件メッセージを録音するとともに再生する用件録音／再生部１２とが接続されている。また、用件録音／再生部１２には、再生された用件メッセージを送出するスピーカ１４が接続されている。
【００１２】
また、通信回線１には、ディジタル交換機２０から送信されてくる情報受信端末起動信号（以下、単に起動信号という）を検出する起動信号検出回路７、及びディジタル交換機２０から送信されてくる呼出信号を検出する着信検出回路８がそれぞれ接続されており、これら起動信号検出回路７及び着信検出回路８の出力は、制御部９に接続されている。
また、制御部９の出力は、フックスイッチ２の切換制御入力に接続されているとともに、応答メッセージ送出回路１１及び用件録音／再生部１２にそれぞれ接続されている。
【００１３】
また、情報検出回路１０の出力は、制御部９と第１の記憶部１５とに接続されており、第１の記憶部１５は、制御部９と双方向に接続されている。
また、制御部９には、第２の記憶部１６が双方向に接続されているとともに、テンキーを含む各種機能ボタンを備えた入力部１７が接続された構成となっている。
【００１４】
用件録音／再生部１２には、用件メッセージを録音する録音領域である用件メッセージ録音部１２ａが設けられており、この用件メッセージ録音部１２ａは複数の領域に区分されている。本実施の形態では、「Ａ」、「Ｂ」、「Ｃ」、「Ｄ」、「Ｅ」の５つの録音領域に区分されているものとする。この録音領域の区分の割り振り方としては、次のような割り振り方が考えられる。例えば、４人家族（父親、母親、長男、長女）の場合、父親宛の用件メッセージを録音領域「Ａ」、母親宛の用件メッセージを録音領域「Ｂ」、長男宛の用件メッセージを録音領域「Ｃ」、長女宛の用件メッセージを録音領域「Ｄ」に録音する。すなわち、父親の会社関係や友人関係等からの用件メッセージを録音領域「Ａ」に録音し、母親の友人関係等からの用件メッセージを録音領域「Ｂ」に録音し、長男の友人関係等からの用件メッセージを録音領域「Ｃ」に録音し、長女の友人関係等からの用件メッセージを録音領域「Ｄ」に録音する。また、残りの録音領域「Ｅ」は、上記以外の全ての用件メッセージを録音する領域として使用する。
【００１５】
第２の記憶部１６には、発信側通信装置の回線番号の情報とその回線番号から送信されてくる用件メッセージの録音領域を指定する指定情報とが、任意の数の発信側通信装置分記憶されている。また、本実施の形態では、これらの回線番号の情報と指定情報とは、短縮番号に対応して記憶されている。すなわち、短縮番号の登録時に、入力部１７のボタン操作によって、回線番号の情報と指定情報とが第２の記憶部１６に記憶されるようになっている。
【００１６】
図２は、この第２の記憶部１６に記憶されているデータ内容の一例を示している。例えば、短縮番号「０１」は回線番号「１２−３４５−６７８９」、指定情報「Ａ」となっている。つまり、発信時に短縮番号「０１」が押されると、この第２の記憶部１６に記憶されている対応する回線番号「１２−３４５−６７８９」が通信回線１に自動発信されることになる。また、用件録音モード（以下、留守録モードという）時に回線番号「１２−３４５−６７８９」からの着信があると、対応して記憶されている指定情報「Ａ」に基づき、相手側の用件メッセージを用件メッセージ録音部１２ａの録音領域「Ａ」に録音することになる（この留守録モード時の動作については後述する）。
【００１７】
ディジタル交換機２０は、任意の通信装置からの発信に対し、通信回線１を通じて着信側通信装置（本通信装置である情報受信電話機）に起動信号を送信するとともに、本通信装置（以下、単に本電話機という）からの応答信号を受けて発信側通信装置の情報（回線番号）を送信し、その後の本電話機からの受信完了信号を受けて呼出信号を送信するといった、いわゆる通信前情報通知機能を備えている。
【００１８】
制御部９は、起動信号検出回路７からの検出信号に基づいてフックスイッチ２を閉じる（直流ループを形成する）とともに、ディジタル交換機２０に対して応答信号を送信する。また、第１の記憶部１５に発信側通信装置の回線番号が記憶されたことを情報検出回路１０からの確認信号によって確認すると、ディジタル交換機２０に対して受信完了信号を送信した後、フックスイッチ２を開く（直流ループを断つ）。その後、着信検出回路８からの検出信号に基づき、再びフックスイッチ２を閉じて、通常の呼出動作を行うようになっている。
【００１９】
また、制御部９は、ディジタル交換機２０から送信されてくる呼出信号に応答して留守録モードを実行するとき、第１の記憶部１５に記憶された回線番号の情報をキーとして第２の記憶部１６に記憶されている回線番号の情報を検索し、一致する回線番号の情報に付与されている指定情報に基づいて、用件メッセージ録音部１２ａの対応する録音領域を指定し、その後にディジタル交換機２０を介して送信されてくる用件メッセージをその指定した録音領域に録音する録音制御を行う。
【００２０】
また、制御部９は、用件再生モード時、入力部１７の任意の短縮ボタンが操作されることにより、その短縮番号に対応する指定情報を第２の記憶部１６から読み出し、その読み出した指定情報に対応した録音領域の用件メッセージを用件メッセージ録音部１２ａから読み出して出力する再生制御を行う。
【００２１】
また、起動信号検出回路７で検出される起動信号は、例えば０．５秒間オン、０．５秒間オフを繰り返す１６Ｈｚの信号となっている。一方、着信検出回路８で検出される呼出信号は、１秒間オン、２秒間オフを繰り返す１６Ｈｚの信号である。従って、起動信号検出回路７及び着信検出回路８では、このオン、オフの周期を検出して、ディジタル交換機２０から送信されてきた１６Ｈｚの信号が、起動信号であるのか、又は呼出信号であるのかの判別を行うようになっている。
また、第１の記憶部１５は、情報検出回路１０からの新たな情報（回線番号）が書き込まれると、その前に書き込まれていた情報（回線番号）が消去されるようになっている。つまり、前の情報に上書きするようにして新たな情報が書き込まれるようになっている。
【００２２】
次に、上記構成の電話機における留守録モード時の着信動作について、図３に示すフローチャートを参照して説明する。
任意の通信装置からの発信に対し、ディジタル交換機２０は、通信回線１を通じて本電話機に起動信号を送信する。
本電話機は、この起動信号を起動信号検出回路７で検出すると（ステップＳ１）、起動信号検出回路７から制御部９に検出信号を出力する。制御部９は、この検出信号に基づき、フックスイッチ２を閉じる（ステップＳ２）。これにより、ディジタル交換機２０との間に直流ループが形成される。
【００２３】
ディジタル交換機２０は、この直流ループを応答信号として検出すると、次に発信側通信装置の回線番号の情報（モデム信号）を通信回線１を通じて本電話機に送信する。
本電話機は、この回線番号（モデム信号）を情報検出回路１０によって検出し、第１の記憶部１５にその検出した回線番号を記憶する（ステップＳ３）。また、制御部９は、第１の記憶部１５に発信側通信装置の回線番号が記憶されたことを情報検出回路１０からの確認信号によって確認すると（ステップＳ４）、ディジタル交換機２０に対して受信完了信号を送信した後、フックスイッチ２を開いて直流ループを断つ（ステップＳ５）。
【００２４】
また、本電話機は、フックスイッチ２を開いた後、第１の記憶部１５に記憶された回線番号をキーとして、第２の記憶部１６に記憶されている回線番号を検索し、一致する回線番号があるか否かを判断する（ステップＳ６）。そして、一致する回線番号がある場合には、その回線番号に付与されている指定情報に基づいて、用件メッセージ録音部１２ａの対応する録音領域を指定する（ステップＳ７）。例えば、第１の記憶部１５に記憶された回線番号が「１２−３４５−６７８９」であったとすると、これに対応する指定情報は「Ａ」（図２参照）となっているので、制御部９は、用件メッセージ録音部１２ａの５つの録音領域「Ａ」〜「Ｅ」の中から録音領域「Ａ」を指定する。
【００２５】
一方、ディジタル交換機２０は、直流ループが断たれた後、一定の時間（０．３秒以上の時間）経過後に、通信回線１を通じて本電話機に呼出信号を送信する。
ディジタル交換機２０からの呼出信号は着信検出回路８によって検出され、着信検出信号が制御部９に送出される。制御部９は、この着信検出信号に基づいてフックスイッチ２を閉じる（ステップＳ９，Ｓ１０）。これにより、ディジタル交換機２０との間に再び直流ループが形成される。この後、制御部９は、応答メッセージ送出回路１１を制御して応答メッセージを通信回線１に送出する（ステップＳ１１）。そして、この応答メッセージに対応して相手側通信装置から用件メッセージが送られてくると、制御部９は、用件録音／再生部１２を制御して、送られてきた用件メッセージを、用件メッセージ録音部１２ａの予め指定した録音領域「Ａ」に録音する（ステップＳ１２）。
【００２６】
なお、ステップＳ６での判断において、一致する回線番号がない場合、制御部９は用件メッセージ録音部１２ａの中の録音領域「Ｅ」を指定する（ステップＳ８）。すなわち、送られてきた用件メッセージは、用件メッセージ録音部１２ａの中の録音領域「Ｅ」に録音される。ただし、一致する回線番号がない場合には、録音しないように設定することも可能である。
制御部９は、留守録モード時に任意の通信装置から着信があるたびに、上記の処理（ステップＳ１〜Ｓ１２）を繰り返すことにより、相手側通信装置からの用件メッセージが、用件メッセージ録音部１２ａの各録音領域「Ａ」〜「Ｅ」に振り分けられて順次録音されることになる。
【００２７】
次に、上記のようにして録音された用件メッセージを再生する場合の動作について、図４に示すフローチャートを参照して説明する。
本電話機に録音された用件メッセージを再生する場合、使用者は入力部１７の図示しない用件再生ボタンを操作して、本電話機を用件再生モードとする。この後、使用者は、再生したい用件メッセージが録音されている録音領域を選択する。すなわち、使用者は、録音領域「Ａ」〜「Ｄ」のいずれかに録音されている用件メッセージを再生するために、入力部１７の該当する短縮ボタンを操作する（ステップＳ２１）。例えば、録音領域「Ａ」に録音されている用件メッセージを再生したい場合には、指定情報「Ａ」が記憶されている短縮番号（例えば、短縮番号「０１」）を操作し、録音領域「Ｂ」に録音されている用件メッセージを再生したい場合には、指定情報「Ｂ」が記憶されている短縮番号（例えば、短縮番号「０２」）を操作し、録音領域「Ｃ」に録音されている用件メッセージを再生したい場合には、指定情報「Ｃ」が記憶されている短縮番号（例えば、短縮番号「０３」）を操作し、録音領域「Ｄ」に録音されている用件メッセージを再生したい場合には、指定情報「Ｄ」が記憶されている短縮番号（例えば、短縮番号「０４」）を操作する。通常、どの短縮番号に誰の回線番号が入っているかは、使用者であれば分かっているはずなので、例えば父親が、自分宛の用件メッセージが録音されている録音領域「Ａ」を再生したい場合には、自分に関係のある短縮番号（例えば、「０１」が会社の電話番号であればその会社の電話番号である「０１」）を操作すればよいことになる。
【００２８】
制御部９は、操作された短縮番号に対応する指定情報を第２の記憶部１６から読み出し、用件録音／再生部１２を制御して、その読み出した指定情報に対応した録音領域に録音されている用件メッセージを、用件メッセージ録音部１２ａから再生し、スピーカ１４から出力する（ステップＳ２２）。
【００２９】
一方、録音領域「Ｅ」に録音されている再生メッセージを再生したい場合には、短縮ボタン以外の所定の操作を行う。例えば、「♯」ボタンを連続して２回操作する。この操作により、制御部９は録音領域「Ｅ」の再生であることを確認し（ステップＳ２３）、用件録音／再生部１２を制御して、録音領域「Ｅ」に録音されている用件メッセージを、用件メッセージ録音部１２ａから再生し、スピーカ１４から出力する（ステップＳ２４）。
このように、本実施の形態では、用件再生モード時、再生したい録音領域を選択するのに短縮ボタンや「♯」ボタンを用いているので、録音領域を個別に再生するための専用のボタンを設ける必要がなく、ボタン数の削減、ボタン配置の少スペース化にも対応できるものである。
【００３０】
図５は、録音された用件メッセージを再生する場合の他の動作を説明するためのフローチャートである。この再生動作では、個人の暗証番号が一致するか否かの判断が加わった構成となっている。そのため、制御部９に暗証番号の一致を判断するための情報を持たせた構成となっている。すなわち、制御部９に、図６に示すような個人の暗証番号と指定情報とを対応させたテーブルを予め持たせておく。このテーブルでは、４桁の暗証番号「ａａａａ」が指定情報「Ａ」に対応し、「ｂｂｂｂ」が指定情報「Ｂ」に対応し、「ｃｃｃｃ」が指定情報「Ｃ」に対応し、「ｄｄｄｄ」が指定情報「Ｄ」に対応している。以下、用件メッセージを再生する場合の他の動作について、図５に示すフローチャートを参照して説明する。
【００３１】
すなわち、使用者は入力部１７の図示しない用件再生ボタンを操作して、本電話機を用件再生モードとする。この後、使用者は、自分宛の用件メッセージを再生したい場合には、入力部１７から自己の暗証番号を入力し、続いて該当する短縮番号を入力する（ステップＳ３１，Ｓ３２）。制御部９は、入力された暗証番号と、入力された短縮番号に対応して第２の記憶部１６から読み出した指定情報との組み合わせが、内部のテーブル（図６参照）に記憶されているいずれかの組み合わせと一致するか否かを判断する（ステップＳ３３）。そして、一致する組み合わせがある場合には、用件録音／再生部１２を制御して、一致する指定情報に対応した録音領域に録音されている用件メッセージを、用件メッセージ録音部１２ａから再生し、スピーカ１４から出力する（ステップＳ３４）。一方、ステップＳ３３において組み合わせが一致しない場合には、用件メッセージの再生動作を行うことなく、エラー処理を行って（ステップＳ３５）、動作を終了する。
【００３２】
例えば、任意の使用者が暗証番号「ａａａａ」を入力し、続いて短縮番号「０１」を入力した場合には、短縮番号「０１」に対応する指定情報は「Ａ」であり（図２参照）、制御部９に記憶されているテーブルのデータ（図６参照）の中の一つの組み合わせと一致するので、この場合には該当する録音領域「Ａ」に録音されている用件メッセージの再生動作を行う。一方、任意の使用者が暗証番号「ａａａａ」を入力し、続いて短縮番号「０２」を入力した場合には、短縮番号「０２」に対応する指定情報は「Ｂ」であり（図２参照）、制御部９に記憶されているテーブルのデータ（図６参照）の中のいずれの組み合わせとも一致しないので、この場合には用件メッセージの再生動作を行うことなく、エラー処理を行うことになる。
【００３３】
なお、録音領域「Ｅ」に録音されている再生メッセージを再生したい場合には、暗証番号の入力や短縮番号の入力以外の所定の操作を行う。例えば、「♯」ボタンを連続して２回操作する。この操作により、制御部９は録音領域「Ｅ」の再生であることを確認し（ステップＳ３６）、用件録音／再生部１２を制御して、録音領域「Ｅ」に録音されている用件メッセージを、用件メッセージ録音部１２ａから再生し、スピーカ１４から出力する（ステップＳ３７）。
【００３４】
このように、用件再生モード時、再生したい録音領域を選択するのに暗証番号の入力も必要な構成としたので、自分宛の用件メッセージを他の者に聞かれてしまうといった心配がない。すなわち、秘密性が保たれることになる。
なお、上記各実施の形態では、本電話機を家庭で使用した場合について説明しているが、例えば会社で使用する場合には、その会社の組織や事情に合わせて、用件メッセージ録音部１２ａの録音領域を割り振ればよい。
【００３５】
また、上記各実施の形態では、用件再生モード時に再生する録音領域を指定する手段として短縮番号を用いているが、ワンタッチダイヤル発信機能があるものでは、当然にこのワンタッチダイヤル番号を用いて再生時の録音領域を指定することが可能であり、本発明においてはこのワンタッチダイヤル番号も短縮番号の概念に含まれるものである。
また、上記各実施の形態では、用件メッセージの録音と再生とについて説明しているが、ファクシミリ通信機能を有する電話機では、ファクシミリ画像データの記録と再生とに、本発明の技術を適用することが可能である。
【００３６】
【発明の効果】
本発明の請求項１に記載の用件録音機能を有する通信装置は、受信した発信側通信装置の回線番号の情報を記憶する第１の記憶部と、短縮番号の登録時に、この短縮番号に対応させて発信側通信装置の回線番号の情報とその回線番号から送信されてくる用件メッセージの録音領域を指定する指定情報とを、任意の数の発信側通信装置分記憶する第２の記憶部と、この第２の記憶部に記憶されている指定情報に対応した録音領域及び指定情報に対応していないその他の録音領域を有する用件メッセージ録音部と、前記接続制御部によって前記加入者線交換機との間の回線を一旦切断した後、前記加入者交換機から送信されてくる呼出信号に応答して用件録音モードを実行するとき、前記第１の記憶部に記憶された回線番号の情報に基づいて前記第２の記憶部に記憶されている回線番号の情報を検索して一致する回線番号があるか否かを判断し、一致する回線番号がある場合にはその一致する回線番号の情報に付与されている指定情報に基づいて前記用件メッセージ録音部の対応する録音領域を指定する一方、一致する回線番号がない場合には前記用件メッセージ録音部のその他の録音領域を指定し、その後に前記加入者線交換機から送信されてくる用件メッセージをその指定した録音領域に録音する録音制御部と、用件再生モード時、任意の短縮番号を入力することにより、その短縮番号に対応する指定情報を前記第２の記憶部から読み出し、その読み出した指定情報に対応した録音領域に録音されている用件メッセージを前記用件メッセージ録音部から再生して出力するとともに、既存の「♯」ボタンを連続して２回操作することにより、その他の録音領域に録音されている用件メッセージを前記用件メッセージ録音部から再生して出力する再生制御部とを備えた構成としている。これにより、用件メッセージ録音部の各録音領域を例えば個人別に割り振って用いた場合には、その個人ごとに用件メッセージが整理されて録音されることになる。そのため、再生に際しても、自己の用件メッセージのみを速やかに再生することができる。
【００３７】
また、本発明の請求項２に記載の用件録音機能を有する通信装置は、用件再生モード時、暗証番号の入力と任意の短縮番号の入力とに基づき、暗証番号の一致を確認した後、その短縮番号に対応する指定情報を第２の記憶部から読み出し、その読み出した指定情報に対応した録音領域に録音されている用件メッセージを用件メッセージ録音部から再生して出力する構成としている。すなわち、暗証番号をも入力する構成としているので、自己宛の録音領域に録音された用件メッセージを他の者に聞かれてしまうといった心配がなく、秘密性が保たれるものである。
【図面の簡単な説明】
【図１】本発明の用件録音機能を有する通信装置の電気的構成を示すブロック図である。
【図２】第２の記憶部に記憶されているデータ内容の一例を示す説明図である。
【図３】本発明の通信装置における留守録モード時の着信動作を説明するためのフローチャートである。
【図４】本発明の通信装置によって録音された用件メッセージを再生する場合の動作を説明するためのフローチャートである。
【図５】本発明の通信装置によって録音された用件メッセージを再生する場合の他の動作を説明するためのフローチャートである。
【図６】個人の暗証番号と指定情報とを対応させたテーブルを示す説明図である。
【符号の説明】
１  通信回線
２  フックスイッチ
７  起動信号検出回路
８  着信検出回路
９  制御部（接続制御部、録音制御部、再生制御部）
１０  情報検出回路
１１  応答メッセージ送出回路
１２  用件録音／再生部
１２ａ  用件メッセージ録音部
１５  第１の記憶部
１６  第２の記憶部
１７  入力部
２０  ディジタル交換機（加入者線交換機）
【図１】
0003620036.tif 000002
【図２】
0003620036.tif 000003
【図３】
0003620036.tif 000004
【図４】
0003620036.tif 000005
【図５】
0003620036.tif 000006
【図６】
0003620036.tif 000007